(57)【要約】【課題】利用者が、会員登録する作業を煩わしく感じる。【解決手段】登録装置は、オブジェクトを識別するオブジェクト識別情報を読み取る読取装置からオブジェクト識別情報を取得するオブジェクト識別情報取得部と、読取装置の設置位置を含む無線通信エリアを有する通信装置と無線通信接続されている通信端末の端末識別子を取得する端末識別子取得部と、オブジェクト識別情報取得部が取得したオブジェクト識別情報に対応付けて、オブジェクト識別情報取得部がオブジェクト識別情報を取得したときに端末識別子取得部が取得した通信端末の端末識別子を第１登録情報保持部に登録する第１登録部とを備える。【選択図】図５
2014050579.tif 000002
【特許請求の範囲】
【請求項１】
オブジェクトを識別するオブジェクト識別情報を読み取る読取装置から前記オブジェクト識別情報を取得するオブジェクト識別情報取得部と、
前記読取装置の設置位置を含む無線通信エリアを有する通信装置と無線通信接続されている通信端末の端末識別子を取得する端末識別子取得部と、
前記オブジェクト識別情報取得部が取得した前記オブジェクト識別情報に対応付けて、前記オブジェクト識別情報取得部が前記オブジェクト識別情報を取得したときに前記端末識別子取得部が取得した前記通信端末の端末識別子を登録する登録部と
を備える登録装置。
【請求項２】
前記登録部は、
前記オブジェクト識別情報取得部が前記オブジェクト識別情報を取得したときに前記端末識別子取得部が複数の通信端末の端末識別子を取得した場合、前記オブジェクト識別情報に対応付けて、前記複数の通信端末の端末識別子を仮登録情報保持部に登録する仮登録部と、
前記複数の通信端末のそれぞれと前記通信装置との無線通信接続が切断されたことを検知する切断検知部と、
前記仮登録情報保持部に登録されている前記オブジェクト識別情報と、前記切断検知部が前記複数の通信端末のうちの１つの通信端末との無線通信接続の切断を検知したときに前記オブジェクト識別情報取得部が取得した他のオブジェクト識別情報とが同一のオブジェクトを示すか否かを判断する判断部と、
前記判断部が前記オブジェクト識別情報と前記他のオブジェクト識別情報とが同一のオブジェクトを示さないと判断した場合、前記オブジェクト識別情報に対応付けて、前記１つの通信装置の端末識別子を本登録情報保持部に登録する本登録部と
を有する、請求項１に記載の登録装置。
【請求項３】
前記本登録部は、前記判断部が前記オブジェクト識別情報と前記他のオブジェクト識別情報とが同一のオブジェクトを示すと判断した場合、前記１つの通信端末の端末識別子を前記本登録情報保持部への登録候補から抹消し、前記仮登録情報保持部に登録されている前記複数の通信端末の端末識別子のうち前記本登録情報保持部への登録候補から抹消されていない端末識別子が１つになった場合、前記オブジェクト識別情報に対応付けて、前記本登録情報保持部への登録候補から抹消されていない当該１つの端末識別子を前記本登録情報保持部に登録する、請求項２に記載の登録装置。
【請求項４】
前記登録部は、
前記オブジェクト識別情報取得部が前記オブジェクト識別情報を取得したときに前記端末識別子取得部が複数の通信端末の端末識別子を取得した場合、前記オブジェクト識別情報に対応付けて、前記複数の通信端末の端末識別子を仮登録情報保持部に登録する仮登録部と、
前記複数の通信端末のそれぞれと前記通信装置との無線通信接続が切断されたことを検知する切断検知部と、
前記仮登録情報保持部に登録されている前記オブジェクト識別情報と、前記切断検知部が前記複数の通信端末のうちの１つの通信端末との無線通信接続の切断を検知したときに前記オブジェクト識別情報取得部が取得した他のオブジェクト識別情報とが同一のオブジェクトを示すか否かを判断する判断部と、
前記判断部が前記オブジェクト識別情報と前記他のオブジェクト識別情報とが同一のオブジェクトを示すと判断した場合、前記１つの通信端末の端末識別子を本登録情報保持部への登録候補から抹消し、前記仮登録情報保持部に登録されている前記複数の通信端末の端末識別子のうち前記本登録情報保持部への登録候補から抹消されていない端末識別子が１つになった場合、前記オブジェクト識別情報に対応付けて、前記本登録情報保持部への登録候補から抹消されていない当該１つの端末識別子を前記本登録情報保持部に登録する本登録部と
を有する、請求項１に記載の登録装置。
【請求項５】
前記仮登録部は、前記端末識別子取得部が取得した前記複数の通信端末のうち前記本登録情報保持部にすでに登録されている端末識別子を、前記本登録情報保持部への新たな登録候補から抹消する、請求項２から請求項４のいずれか１つに記載の登録装置。
【請求項６】
前記読取装置は、撮像装置であり、
前記オブジェクト識別情報取得部は、前記オブジェクト識別情報として前記オブジェクトの画像である第１画像を取得する請求項１から請求項５のいずれか１つに記載の登録装置。
【請求項７】
前記読取装置は、撮像装置であり、
前記オブジェクト識別情報取得部は、前記オブジェクト識別情報として前記オブジェクトの画像である第１画像を取得し、
前記登録装置は、
前記第１画像に基づいて、前記オブジェクトの属性を特定する属性特定部
をさらに備え、
前記本登録部は、前記第１画像に対応付けて、前記属性を示す属性情報を前記本登録情報保持部に登録する、請求項２から請求項５のいずれか１つに記載の登録装置。
【請求項８】
前記撮像装置から前記オブジェクトに関連する宛先情報を含む画像である第２画像を取得する宛先画像取得部と、
前記第２画像に基づいて、前記宛先情報を特定する宛先情報特定部と
をさらに備え、
前記本登録部は、前記第１画像に対応付けて、前記宛先情報を前記本登録情報保持部に登録する、請求項７に記載の登録装置。
【請求項９】
前記無線通信エリアには、複数の前記撮像装置が設置され、
前記オブジェクト識別情報取得部は、前記第１画像とともに前記第１画像を撮像した前記撮像装置の撮像装置識別子を取得し、
前記宛先画像取得部は、前記第２画像とともに前記第２画像を撮像した前記撮像装置の撮像装置識別子を取得し、
前記本登録部は、前記第２画像を撮像した前記撮像装置の撮像装置識別子と同一の撮像装置識別子とともに前記オブジェクト識別情報取得部が取得した前記第１画像に対応付けて、前記第２画像から特定された前記宛先情報を前記本登録情報保持部に登録する、請求項８に記載の登録装置。
【請求項１０】
前記通信装置に無線通信接続されている通信端末に、前記オブジェクトに関する宛先情報を要求する要求メッセージを送信するメッセージ送信部
をさらに備え、
前記本登録部は、前記仮登録情報保持部に登録されている前記複数の通信端末の端末識別子のうち前記要求メッセージが送信されていない通信端末の端末識別子を、前記本登録情報保持部への登録候補から抹消する、請求項８または請求項９に記載の登録装置。
【請求項１１】
前記読取装置の近傍に設置された報知部に、前記オブジェクトに関する宛先情報を要求する要求メッセージを送信するメッセージ送信部
をさらに備える、請求項９または請求項１０に記載の登録装置。
【請求項１２】
前記読取装置は、遊技機、遊技機用台間機、または遊技機用計数機に設けられている請求項１から請求項１１のいずれか１つに記載の登録装置。
【請求項１３】
前記オブジェクト識別情報取得部は、前記オブジェクト識別情報とともに前記オブジェクト識別情報を読み取った前記読取装置の読取装置識別子を取得し、
前記登録装置は、
前記オブジェクト識別情報に対応付けて登録されている通信端末の端末識別子または宛先情報を用いて、前記読取装置識別子に対応付けられた情報を配信する配信部
をさらに備える請求項１から請求項１２のいずれか１つに記載の登録装置。
【請求項１４】
請求項１から請求項１３のいずれか１つに記載の登録装置として、コンピュータを機能させるためのプログラム。
【発明の詳細な説明】
【技術分野】
【０００１】
本発明は、登録装置およびプログラムに関する。
【背景技術】
【０００２】
特許文献１には、二次元コードをカメラ付き携帯電話などの通信端末を用いて読み取り、読み取った二次元コードに示されるメールアドレス宛に、二次元コードに示される情報を含むメールを送信することで、会員登録するシステムが開示されている。
特許文献１  特開２０１０−６９０１１号公報
【発明の概要】
【発明が解決しようとする課題】
【０００３】
上記のようなシステムにおいて、会員登録するための作業を煩わしく感じる利用者もいる。
【課題を解決するための手段】
【０００４】
本発明の一態様に係る登録装置は、オブジェクトを識別するオブジェクト識別情報を読み取る読取装置からオブジェクト識別情報を取得するオブジェクト識別情報取得部と、読取装置の設置位置を含む無線通信エリアを有する通信装置と無線通信接続されている通信端末の端末識別子を取得する端末識別子取得部と、オブジェクト識別情報取得部が取得したオブジェクト識別情報に対応付けて、オブジェクト識別情報取得部がオブジェクト識別情報を取得したときに端末識別子取得部が取得した通信端末の端末識別子を登録する登録部とを備える。
【０００５】
上記登録装置において、登録部は、オブジェクト識別情報取得部がオブジェクト識別情報を取得したときに端末識別子取得部が複数の通信端末の端末識別子を取得した場合、オブジェクト識別情報に対応付けて、複数の通信端末の端末識別子を仮登録情報保持部に登録する仮登録部と、複数の通信端末のそれぞれと通信装置との無線通信接続が切断されたことを検知する切断検知部と、仮登録情報保持部に登録されているオブジェクト識別情報と、切断検知部が複数の通信端末のうちの１つの通信端末との無線通信接続の切断を検知したときにオブジェクト識別情報取得部が取得した他のオブジェクト識別情報とが同一のオブジェクトを示すか否かを判断する判断部と、判断部がオブジェクト識別情報と他のオブジェクト識別情報とが同一のオブジェクトを示さないと判断した場合、オブジェクト識別情報に対応付けて、１つの通信装置の端末識別子を本登録情報保持部に登録する本登録部とを有してもよい。
【０００６】
上記登録装置において、本登録部は、判断部がオブジェクト識別情報と他のオブジェクト識別情報とが同一のオブジェクトを示すと判断した場合、１つの通信端末の端末識別子を本登録情報保持部への登録候補から抹消し、仮登録情報保持部に登録されている複数の通信端末の端末識別子のうち本登録情報保持部への登録候補から抹消されていない端末識別子が１つになった場合、オブジェクト識別情報に対応付けて、本登録情報保持部への登録候補から抹消されていない当該１つの端末識別子を本登録情報保持部に登録してもよい。
【０００７】
上記登録装置において、登録部は、オブジェクト識別情報取得部がオブジェクト識別情報を取得したときに端末識別子取得部が複数の通信端末の端末識別子を取得した場合、オブジェクト識別情報に対応付けて、複数の通信端末の端末識別子を仮登録情報保持部に登録する仮登録部と、複数の通信端末のそれぞれと通信装置との無線通信接続が切断されたことを検知する切断検知部と、仮登録情報保持部に登録されているオブジェクト識別情報と、切断検知部が複数の通信端末のうちの１つの通信端末との無線通信接続の切断を検知したときにオブジェクト識別情報取得部が取得した他のオブジェクト識別情報とが同一のオブジェクトを示すか否かを判断する判断部と、判断部がオブジェクト識別情報と他のオブジェクト識別情報とが同一のオブジェクトを示すと判断した場合、１つの通信端末の端末識別子を本登録情報保持部への登録候補から抹消し、仮登録情報保持部に登録されている複数の通信端末の端末識別子のうち本登録情報保持部への登録候補から抹消されていない端末識別子が１つになった場合、オブジェクト識別情報に対応付けて、本登録情報保持部への登録候補から抹消されていない当該１つの端末識別子を本登録情報保持部に登録する本登録部とを有してもよい。
【０００８】
上記登録装置において、仮登録部は、端末識別子取得部が取得した複数の通信端末のうち本登録情報保持部にすでに登録されている端末識別子を、本登録情報保持部への新たな登録候補から抹消する。
【０００９】
上記登録装置において、読取装置は、撮像装置であり、オブジェクト識別情報取得部は、オブジェクト識別情報としてオブジェクトの画像である第１画像を取得してもよい。
【００１０】
上記登録装置は、読取装置は、撮像装置であり、オブジェクト識別情報取得部は、オブジェクト識別情報としてオブジェクトの画像である第１画像を取得し、登録装置は、第１画像に基づいて、オブジェクトの属性を特定する属性特定部をさらに備え、本登録部は、第１画像に対応付けて、属性を示す属性情報を本登録情報保持部に登録してもよい。
【００１１】
上記登録装置は、撮像装置からオブジェクトに関連する宛先情報を含む画像である第２画像を取得する宛先画像取得部と、第２画像に基づいて、宛先情報を特定する宛先情報特定部とをさらに備え、本登録部は、第１画像に対応付けて、宛先情報を本登録情報保持部に登録してもよい。
【００１２】
上記登録装置において、無線通信エリアには、複数の撮像装置が設置され、オブジェクト識別情報取得部は、第１画像とともに第１画像を撮像した撮像装置の撮像装置識別子を取得し、宛先画像取得部は、第２画像とともに第２画像を撮像した撮像装置の撮像装置識別子を取得し、本登録部は、第２画像を撮像した撮像装置の撮像装置識別子と同一の撮像装置識別子とともにオブジェクト識別情報取得部が取得した第１画像に対応付けて、第２画像から特定された宛先情報を本登録情報保持部に登録してもよい。
【００１３】
上記登録装置は、通信装置に無線通信接続されている通信端末に、オブジェクトに関する宛先情報を要求する要求メッセージを送信するメッセージ送信部をさらに備え、本登録部は、仮登録情報保持部に登録されている複数の通信端末の端末識別子のうち要求メッセージが送信されていない通信端末の端末識別子を、本登録情報保持部への登録候補から抹消してもよい。
【００１４】
上記登録装置は、読取装置の近傍に設置された報知部に、オブジェクトに関する宛先情報を要求する要求メッセージを送信するメッセージ送信部をさらに備えてもよい。
【００１５】
上記登録装置において、読取装置は、遊技機、遊技機用台間機、または遊技機用計数機に設けられてもよい。
【００１６】
上記登録装置において、オブジェクト識別情報取得部は、オブジェクト識別情報とともにオブジェクト識別情報を読み取った読取装置の読取装置識別子を取得し、登録装置は、オブジェクト識別情報に対応付けて登録されている通信端末の端末識別子または宛先情報を用いて、読取装置識別子に対応付けられた情報を配信する配信部をさらに備えてもよい。
【００１７】
なお、上記の発明の概要は、本発明の必要な特徴の全てを列挙したものではない。また、これらの特徴群のサブコンビネーションもまた、発明となりうる。
【図面の簡単な説明】
【００１８】
【図１】会員登録システムの全体構成を示す図である。
【図２】遊技店に設置された複数の通信装置の通信エリアの見取り図である。
【図３】遊技機および台間機の正面図である。
【図４】遊技機および台間機を上から見た概略図である。
【図５】登録装置のブロック図である。
【図６】要求メッセージに示される内容の一例を示す図である。
【図７】メールアドレスを含むプロフィールの一例を示す図である。
【図８】通信装置接続テーブルの一例を示す図である。
【図９】通信端末接続テーブルの一例を示す図である。
【図１０】顔画像テーブルの一例を示す図である。
【図１１】仮登録テーブルの一例を示す図である。
【図１２】本登録テーブルの一例を示す図である。
【図１３】配信情報テーブルの一例を示す図である。
【図１４】要求メッセージを送信する処理を示すフローチャートである。
【図１５】画像から宛先情報を特定する処理を示すフローチャートである。
【図１６】仮登録テーブルに端末ＩＤを登録する処理を示すフローチャートである。
【図１７】端末ＩＤを本登録テーブルに登録する処理を示すフローチャートである。
【図１８】配信処理を示すフローチャートである。
【発明を実施するための形態】
【００１９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２０】
図１は、本実施形態に係る会員登録システムの全体構成図である。会員登録システムは、登録装置１００、読取装置１０、複数の通信装置２０、および複数の通信端末３０を備える。会員登録システムは、例えば、遊技機４０および台間機５０が設置されている遊技店に配置される。
【００２１】
読取装置１０は、オブジェクトを識別するオブジェクト識別情報を読み取る。読取装置１０は、例えば、遊技機４０を操作する遊技者などの会員登録候補であるユーザの特徴情報を読み取る。読取装置１０は、オブジェクト識別情報として遊技者の顔画像を含む画像を撮像する撮像装置でもよい。遊技機４０は、例えば、パチンコ、パチスロである。台間機５０は、例えば、入金額に応じた数の貸球を遊技者に提供する貸球機である。読取装置１０は、例えば、台間機５０に設置される。
【００２２】
通信装置２０は、例えば、アクセスポイントである。通信装置２０は、自身の通信エリア内に存在する通信端末３０と無線通信接続する。通信装置２０は、例えば、無線ＬＡＮで通信端末３０と通信する。通信端末３０は、無線通信機能を有し、自身が属している通信エリアを有する通信装置２０と無線通信接続する。通信端末３０は、例えば、遊技者が所有する携帯電話、多機能携帯電話（スマートフォン）、または携帯情報端末（ＰＤＡ）である。
【００２３】
登録装置１００は、読取装置１０により読み取られた遊技者の顔画像などのオブジェクト識別情報に対応付けて、通信装置２０に無線通信接続された通信端末３０を一意に識別する端末ＩＤを保持する。例えば、遊技者が入店し、遊技機４０の前に座ったときに、登録装置１００は、遊技者の顔画像を取得する。また、登録装置１００は、読取装置１０の設置位置を含む通信エリアを有する通信装置２０に無線通信接続された遊技者の通信端末３０の端末ＩＤを取得する。次いで、登録装置１００は、顔画像に対応付けて端末ＩＤを登録する。登録装置１００は、顔画像を取得した読取装置１０が設置されたエリアに基づいて特定される配信情報を、取得した顔画像に対応する遊技者の通信端末３０に配信する。登録装置１００は、オブジェクトが存在するエリアとは異なるエリアに関する情報をオブジェクトに関連する通信端末３０に配信してもよい。登録装置１００は、例えば、遊技者がいるエリアとは異なるエリアに設置された新台の入荷情報をその遊技者の通信端末３０に配信する。
【００２４】
図２は、遊技店に設置された複数の通信装置２０の通信エリアの見取り図の一例である。通信装置２０は、複数の読取装置１０の設置位置を含む通信エリアを有してもよい。例えば、通信エリア１内に、４台の読取装置１０（Ｃ００，Ｃ０１，Ｃ０２およびＣ０３）が設置されている。
【００２５】
図３は、遊技機４０および台間機５０の正面図の一例である。台間機５０は、読取装置１０、および遊技者に遊技情報などを提供する表示部６０を備える。図４は、遊技機４０および台間機５０を上から見た概略図である。台間機５０に設置された読取装置１０は、遊技機４０の前に座った遊技者の顔画像を撮像する。
【００２６】
図５は、登録装置１００のブロック図である。登録装置１００は、オブジェクト識別情報取得部１０２、端末識別子取得部１０８、切断検知部１１２、判断部１２４、仮登録部１２０、仮登録情報保持部１２２、本登録部１３０、および本登録情報保持部１３２を備える。
【００２７】
オブジェクト識別情報取得部１０２は、読取装置１０からオブジェクトを識別するオブジェクト識別情報を取得する。読取装置１０が撮像装置の場合、読取装置１０は、遊技者を含む画像を撮像する。読取装置１０は、撮像された画像の予め定められた領域の画像に含まれる情報と、顔を構成する部位の配置などを定めたパターン情報とをパターンマッチングすることで、第１画像である顔画像を抽出する。読取装置１０は、顔画像をオブジェクト識別情報としてオブジェクト識別情報取得部１０２に提供する。オブジェクト識別情報取得部１０２は、読取装置１０が撮像した遊技者の顔画像を取得する。
【００２８】
端末識別子取得部１０８は、読取装置１０の設置位置を含む無線通信エリアを有する通信装置２０と無線通信接続されている通信端末３０の端末ＩＤを取得する。仮登録部１２０は、オブジェクト識別情報取得部１０２が取得したオブジェクト識別情報に対応付けて、オブジェクト識別情報取得部１０２がオブジェクト識別情報を取得したときに端末識別子取得部１０８が取得した通信端末３０の端末ＩＤを仮登録情報保持部１２２に登録する。仮登録部１２０は、オブジェクト識別情報取得部１０２がオブジェクト識別情報を取得したときに端末識別子取得部１０８が複数の通信端末３０の端末ＩＤを取得した場合、オブジェクト識別情報に対応付けて、複数の通信端末３０の端末ＩＤを仮登録情報保持部１２２に登録する。
【００２９】
ここで、オブジェクト識別情報取得部１０２がオブジェクト識別情報を取得したときに端末識別子取得部１０８が取得した通信端末３０の端末ＩＤとは、オブジェクト識別情報取得部１０２がオブジェクト識別情報を取得したのと同時に、端末識別子取得部１０８が取得した通信端末３０の端末ＩＤだけでなく、オブジェクト識別情報取得部１０２がオブジェクト識別情報を取得した時刻を基準として予め定められた期間、例えば取得した時刻の前後数秒間、または前後数分間以内に端末識別子取得部１０８が取得した端末ＩＤを含む。
【００３０】
切断検知部１１２は、複数の通信端末３０のそれぞれと通信装置２０との無線通信接続が切断されたことを検知する。判断部１２４は、仮登録情報保持部１２２に登録されているオブジェクト識別情報と、切断検知部１１２が複数の通信端末３０のうちの１つの通信端末３０との無線通信接続の切断を検知したときにオブジェクト識別情報取得部１０２が取得した他のオブジェクト識別情報とが同一のオブジェクトを示すか否かを判断する。
【００３１】
ここで、切断を検知したときとは、切断を検知した時刻と同一の時刻の他、当該時刻を基準とした予め定められた期間、例えば当該時刻の前後数秒間、または前後数分間を含む。
【００３２】
本登録部１３０は、判断部１２４がオブジェクト識別情報と他のオブジェクト識別情報とが同一のオブジェクトを示さないと判断した場合、オブジェクト識別情報に対応付けて、切断された１つの通信装置２０の端末識別子を本登録情報保持部１３２に登録する。当該オブジェクト識別情報と、当該他のオブジェクト識別情報とが同一のオブジェクトを示さない場合、仮登録情報保持部１２２に登録されているオブジェクト識別情報を提供した読取装置１０に対応する遊技機４０の前に座っていた遊技者が、当該オブジェクト識別情報を提供した読取装置１０の設置位置を含む通信エリアから退去した可能性が高い。つまり、切断された通信端末３０を所有する遊技者が、仮登録情報保持部１２２に登録されているオブジェクト識別情報に対応している可能性が高い。そこで、本登録部１３０は、オブジェクト識別情報と他のオブジェクト識別情報とが同一のオブジェクトを示さないと判断した場合、オブジェクト識別情報に対応付けて、切断された１つの通信装置２０の端末識別子を本登録情報保持部１３２に登録する。
【００３３】
また、本登録部１３０は、判断部１２４がオブジェクト識別情報と他のオブジェクト識別情報とが同一のオブジェクトを示すと判断した場合、切断された１つの通信端末の端末識別子を本登録情報保持部１３２への登録候補から抹消する。当該オブジェクト識別情報と、当該他のオブジェクト識別情報とが同一のオブジェクトを示す場合、当該オブジェクト識別情報を提供した読取装置１０に対応する遊技機４０の前に座っていた遊技者が、通信端末３０の切断が検知された時点でまだ同じ遊技機４０の前に座っている可能性が高い。つまり、切断された通信装置２０の所有者は、仮登録情報保持部１２２に登録されているオブジェクト識別情報に対応する遊技者以外の人物である可能性が高い。そこで、本登録部１３０は、当該オブジェクト識別情報と当該他のオブジェクト識別情報とが同一のオブジェクトを示すと判断した場合、切断された１つの通信端末の端末識別子を本登録情報保持部１３２への登録候補から抹消する。これにより、本登録部１３０は、仮登録情報保持部１２２に登録されている複数の通信端末３０の端末ＩＤの中から登録候補の端末ＩＤを絞り込む。
【００３４】
本登録部１３０は、仮登録情報保持部１２２に登録されている複数の通信端末３０の端末ＩＤのうち本登録情報保持部１３２への登録候補から抹消されていない端末ＩＤが１つになった場合、オブジェクト識別情報に対応付けて、本登録情報保持部１３２への登録候補から抹消されていない当該１つの端末ＩＤを本登録情報保持部１３２に登録する。上記の通り、当該オブジェクト識別情報と、当該他のオブジェクト識別情報とが同一のオブジェクトを示す場合、仮登録情報保持部１２２に登録されているオブジェクト識別情報を提供した読取装置１０に対応する遊技機４０の前に座っていた遊技者が、通信端末３０の切断が検知された時点でまだ同じ遊技機４０の前に座っている可能性が高い。そして、該オブジェクト識別情報を提供した読取装置１０の設置位置を含む通信エリアに存在する登録候補の人物が、仮登録情報保持部１２２に登録候補として登録されている残りの１つの端末ＩＤに対応する通信端末３０の所有者である可能性が高い。そこで、本登録部１３０は、本登録情報保持部１３２への登録候補から抹消されていない端末ＩＤが１つになった場合、オブジェクト識別情報に対応付けて、本登録情報保持部１３２への登録候補から抹消されていない当該１つの端末ＩＤを本登録情報保持部１３２に登録する。
【００３５】
仮登録部１２０は、端末識別子取得部１０８が取得した複数の通信端末３０の端末ＩＤのうち本登録情報保持部１３２にすでに登録されている端末ＩＤを、本登録情報保持部１３２への新たな登録候補から抹消してもよい。本登録情報保持部１３２にすでに登録されている端末ＩＤは、以前に登録された遊技者が所有する通信端末３０であり、登録候補である新たな遊技者が所有する通信端末３０である可能性は低い。そこで、仮登録部１２０は、本登録情報保持部１３２にすでに登録されている端末ＩＤを、本登録情報保持部１３２への新たな登録候補から抹消する。これにより、仮登録部１２０は、端末識別子取得部１０８が取得した複数の通信端末３０の端末ＩＤの中から登録候補の端末ＩＤを絞り込む。
【００３６】
登録装置１００は、属性特定部１０４、宛先画像取得部１１４、および宛先情報特定部１１６をさらに備える。属性特定部１０４は、オブジェクト識別情報取得部１０２から提供された顔画像である第１画像に基づいて、遊技者の年代および性別などのオブジェクトの属性を特定する。属性特定部１０４は、顔画像から年代および性別を特定するための特徴量を抽出する。属性特定部１０４は、予め登録されている年代および性別ごとの基準特徴量と、抽出された特徴量との類似度を算出する。属性特定部１０４は、類似度が最も高い基準特徴量に対応する年代および性別を、提供された顔画像に対応する遊技者の年代および性別として特定する。本登録部１３０は、顔画像に対応づけて、特定された属性を示す属性情報を本登録情報保持部１３２に登録してもよい。
【００３７】
宛先画像取得部１１４は、読取装置１０からオブジェクトに関連する宛先情報を含む画像である第２画像を取得する。読取装置１０は、遊技者が提示した遊技者のメールアドレスなどのオブジェクトに関連する宛先情報を読み取り、宛先情報を含む画像を第２画像として宛先画像取得部１１４に提供する。遊技者は、例えば、多機能携帯電話の画面に自身のメールアドレスなどを含むプロフィールを表示し、そのプロフィールを読取装置１０に撮像させる。読取装置１０は、読み取ったプロフィールを含む画像を第２画像として宛先画像取得部１１４に提供する。宛先情報特定部１１６は、第２画像に基づいて、宛先情報を特定する。例えば、宛先情報特定部１１６は、第２画像に含まれる文字列群を認識し、認識された文字列群の中からメールアドレスなどの宛先情報を特定する。本登録部１３０は、顔画像である第１画像に対応付けて、宛先情報を本登録情報保持部１３２に登録してもよい。
【００３８】
オブジェクト識別情報取得部１０２は、第１画像とともに第１画像を撮像した読取装置１０の読取装置ＩＤを取得してもよい。また、宛先画像取得部１１４は、第２画像とともに第２画像を撮像した読取装置１０の読取装置ＩＤを取得してもよい。本登録部１３０は、第２画像を撮像した読取装置１０の読取装置ＩＤと同一の読取装置ＩＤとともにオブジェクト識別情報取得部１０２が取得した第１画像に対応付けて、第２画像から特定された宛先情報を本登録情報保持部１３２に登録してもよい。同一の読取装置１０から提供された第１画像および第２画像は、同一人物に対応する画像である可能性が高い。そこで、本登録部１３０は、第１画像を提供した読取装置１０から提供された第２画像の宛先情報を、その第１画像に対応付けて本登録情報保持部１３２に登録する。
【００３９】
登録装置１００は、メッセージ送信部１２６、配信部１４０、管理情報保持部１１０、および配信情報保持部１４２をさらに備える。メッセージ送信部１２６は、通信装置２０に無線通信接続されている通信端末３０に、オブジェクトに関する宛先情報を要求する要求メッセージを送信する。要求メッセージは、例えば、図６に示すような、会員登録を希望する場合には、遊技者の携帯電話の表示部に遊技者のメールアドレスなどを含むプロフィールを表示し、台間機５０に設置されたカメラに向けて画面を提示するように要請する内容を含む。なお、通信端末３０は、自己の端末ＩＤが示された要求メッセージを受信した場合に要求メッセージに示された内容を自動的に画面に表示させる機能を有してもよい。メッセージ送信部１２６は、いわゆるプッシュ型情報配信機能を利用して、通信端末３０に要求メッセージを送信してもよい。
【００４０】
会員登録を希望する遊技者は、所有する通信端末３０の画面に、図７に示すような携帯電話番号、メールアドレスなどが示されたプロフィール情報を表示し、画面をカメラに提示する。遊技者は、メールアドレスが記されたメモなどをカメラに提示してもよい。登録装置１００は、遊技者の顔画像に対応付けて、遊技者のメールアドレスを登録する。なお、メッセージ送信部１２６は、読取装置の近傍に設置された表示部６０などの報知部に、要求メッセージを送信してもよい。
【００４１】
配信部１４０は、オブジェクト識別情報に対応付けて登録されている通信端末３０の端末ＩＤまたは宛先情報を用いて、読取装置ＩＤに対応付けられた情報を配信する。配信情報保持部１４２は、読取装置１０が設置されるエリアに対応付けて配信内容を保持する。配信情報保持部１４２は、読取装置１０が設置されるエリアに配置される遊技機４０の種類に対応付けて、配信内容を保持してもよい。読取装置１０は、例えば、台間機５０に設けられている。よって、配信部１４０は、顔画像とともに読取装置１０から提供される読取装置ＩＤに基づいて、顔画像により特定される遊技者がどのような種類の遊技機４０の近くにいるかを特定できる。したがって、配信部１４０は、読取装置ＩＤに基づいて遊技者の近くにある遊技機４０の種類を特定する。配信部１４０は、配信情報保持部１２０を参照して、特定された遊技機４０の種類に基づいて配信内容を特定する。配信部１４０は、特定された種類に応じた配信内容を示す情報を配信してもよい。配信部１１８は、遊技者の近くにある遊技機４０とは異なるエリアに設置されている遊技機４０の種類に対応する配信内容を示す情報を配信してもよい。これにより、遊技者は、他のエリアに設置されている遊技機４０に関する情報を知ることができる。
【００４２】
管理情報保持部１１０は、登録装置１００がオブジェクト識別情報に対応付けて端末ＩＤを登録する場合に参照される各種テーブルを保持している。
【００４３】
図８は、管理情報保持部１１０が保持する通信装置接続テーブルの一例である。通信装置接続テーブルは、通信エリアフィールド、通信装置ＩＤフィールド、読取装置ＩＤフィールド、および種類フィールドを有する。通信エリアフィールドには、通信装置２０が通信可能な通信エリアが示される。通信装置ＩＤフィールドには、通信装置２０を識別する通信装置ＩＤが示される。読取装置ＩＤフィールドには、通信エリアに設置されている読取装置を識別する読取装置ＩＤが示される。種類フィールドには、通信エリアに設置されている遊技機４０の種類が示される。
【００４４】
図９は、管理情報保持部１１０が保持する通信端末接続テーブルの一例である。通信端末接続テーブルは、通信端末接続時刻フィールド、通信装置ＩＤフィールド、端末ＩＤフィールド、および送信済みフラグフィールドを有する。通信端末接続時刻フィールドには、通信端末３０が通信装置２０に無線通信接続された時刻、つまり無線通信が開始された時刻が示される。通信装置ＩＤフィールドには、通信端末３０が無線通信接続した通信装置２０の通信装置ＩＤが示される。端末ＩＤフィールドには、通信装置２０に無線通信接続した通信端末３０の端末ＩＤが示される。送信済みフラグフィールドには、通信装置２０に無線通信接続した通信端末３０に対して要求メッセージが送信されたか否かが示される。端末識別子取得部１０８は、通信装置２０に無線通信接続された通信端末３０の端末ＩＤを通信装置ＩＤとともに取得し、通信端末接続テーブルを順次更新する。また、切断検知部１１２は、通信装置２０との無線通信接続が切断された通信端末３０の端末ＩＤを通信装置ＩＤとともに取得し、通信端末接続テーブルを順次更新する。
【００４５】
図１０は、管理情報保持部１１０が保持する顔画像テーブルの一例を示す。顔画像テーブルは、読取装置ＩＤフィールド、顔画像フィールド、年代フィールド、性別フィールドを有する。読取装置ＩＤフィールドには、顔画像を含む画像を撮像した読取装置１０を識別する読取装置ＩＤが示される。顔画像フィールドには、読取装置１０により撮像された画像から抽出された顔画像が示される。年代フィールドには、顔画像により特定された遊技者の年代が示される。性別フィールドには、顔画像により特定された遊技者の年代が示される。オブジェクト識別情報取得部１０２は、読取装置１０から顔画像と読取装置ＩＤを取得する。属性特定部１０４は、取得された顔画像に基づいて属性情報を特定する。オブジェクト識別情報取得部１０２および属性特定部１０４は、取得された顔画像および読取装置ＩＤと、特定された属性情報とにより、顔画像テーブルを順次更新する。
【００４６】
図１１は、仮登録情報保持部１２２が保持する仮登録テーブルの一例を示す。仮登録テーブルは、顔画像フィールド、年代フィールド、性別フィールド、端末ＩＤフィールド、およびメールアドレスフィールドを有する。顔画像フィールドには、登録候補である顔画像が示される。年代フィールドには、登録候補の遊技者の顔画像に対応する年代が示される。性別フィールドには、登録候補である遊技者の性別が示される。端末ＩＤフィールドには、登録候補である遊技者の通信端末３０の端末ＩＤが示される。メールアドレスフィールドには、宛先情報に示された登録候補の遊技者のメールアドレスが示される。仮登録部１２０は、通信端末３０と通信装置２０との間の無線通信接続が切断される毎に、仮登録テーブルを更新する。
【００４７】
図１２は、本登録情報保持部１３２が保持する本登録テーブルの一例を示す。本登録テーブルは、会員ＩＤフィールド、顔画像フィールド、年代フィールド、性別フィールド、端末ＩＤフィールド、およびメールアドレスフィールドを有する。会員ＩＤフィールドには、会員登録されている遊技者の会員ＩＤが示される。顔画像フィールドには、会員登録されている遊技者の顔画像が示される。年代フィールドには、会員登録されている遊技者の年代が示される。性別フィールドには、会員登録されている遊技者の性別が示される。端末ＩＤフィールドには、会員登録されている遊技者の通信端末３０の端末ＩＤが示される。メールアドレスフィールドには、会員登録されている遊技者のメールアドレスが示される。本登録部１３０は、仮登録テーブルに示される通信端末３０の端末ＩＤのうち登録候補の端末ＩＤが１つに絞られる毎に、本登録テーブルを更新する。
【００４８】
図１３は、配信情報保持部１４２が保持する配信情報テーブルの一例を示す。配信情報テーブルは、種類フィールド、年代フィールド、性別フィールド、配信内容フィールドを有する。種類フィールドには、配信情報の対象となる遊技機４０の種類が示される。年代フィールドには、配信情報の対象となる年代が示される。性別フィールドには、配信情報の対象となる性別が示される。配信内容フィールドには、種類、年代、および性別に応じた配信内容が示される。なお、種類に応じた配信内容とは、特定された種類に関する内容の他、特定された種類以外の他の種類に関する内容も含む。
【００４９】
図１４は、要求メッセージを送信する処理を示すフローチャートである。オブジェクト識別情報取得部１０２が読取装置１０から顔画像を取得すると（Ｓ１００）、オブジェクト識別情報取得部１０２は、取得した顔画像を、顔画像を提供した読取装置１０の読取装置ＩＤに対応付けて顔画像テーブルに登録する（Ｓ１０２）。ここで、属性特定部１０４により特定された属性情報を、顔画像を提供した読取装置の読取装置ＩＤに対応付けて顔画像テーブルに登録してもよい。続いて、判断部１２４は、本登録情報保持部１３２が保持する本登録テーブルを参照して、取得した顔画像と同一のオブジェクトを示す顔画像がすでに本登録テーブルに登録されているか否かを判断する（Ｓ１０４）。同一のオブジェクトを示す顔画像が本登録テーブルに登録されている場合には、配信部１４０が配信処理を実行する（Ｓ１０６）。
【００５０】
同一のオブジェクトを示す顔画像が本登録テーブルに登録されていない場合、メッセージ送信部１２６は、通信装置接続テーブルを参照して、取得した読取装置ＩＤが属する通信装置ＩＤを特定する。メッセージ送信部１２６は、通信端末接続テーブルを参照して、特定された通信装置ＩＤに対応付けられている端末ＩＤを抽出する（Ｓ１０８）。次いで、メッセージ送信部１２６は、抽出された端末ＩＤの中から本登録テーブルに登録されていない端末ＩＤを抽出する（Ｓ１１０）。メッセージ送信部１２６は、抽出された端末ＩＤに対応付けられている送信済みフラグフィールドを参照して、要求メッセージが未送信である端末ＩＤの通信端末３０に要求メッセージを送信する（Ｓ１１２）。
【００５１】
図１５は、宛先情報特定部１１６が宛先情報の画像から宛先情報を特定する処理を示すフローチャートである。読取装置１０は、要求メッセージに応じて、遊技者が通信端末３０の画面に表示させたプロフィールなどの宛先情報を撮像する。さらに、読取装置１０は、撮像された宛先情報を含む画像を読取装置ＩＤとともに宛先画像取得部１１４に提供する。宛先情報特定部１１６は、宛先画像取得部１１４から宛先情報を含む画像および読取装置ＩＤを取得する（Ｓ２００）。宛先情報特定部１１６は、宛先情報を含む画像から文字列を抽出する（Ｓ２０２）。宛先情報特定部１１６は、予め管理情報保持部１１０などに登録されているドメイン文字列リストを参照して、文字列のなかにドメイン文字列リストに登録されたドメイン文字列と一致する文字列が存在するか否かを判定する（Ｓ２０４）。
【００５２】
ここで、ドメイン文字列リストには、メールアドレスのドメイン名となりうる複数の文字列が登録されている。遊技者が提示した画像に示されるドメイン名の中には、一行で表示されず、２行に亘って表示される場合もある。このような場合でも、抽出された文字列と予め登録されたドメイン文字列との比較によりメールアドレスの有無を判断することで、宛先情報特定部１１６は、文字列の中からメールアドレスを確実に抽出できる。
【００５３】
ドメイン文字列リストに一致する文字列が存在する場合には、宛先情報特定部１１６は、該当する文字列からアットマークの前に存在するアカウント名文字列を抽出する（Ｓ２０６）。宛先情報特定部１１６は、特定されたドメイン文字列およびアカウント名文字列に基づいて宛先情報としてメールアドレスを特定する（Ｓ２０８）。宛先情報特定部１１６は、特定された宛先情報および読取装置ＩＤを仮登録部１２０に提供する。
【００５４】
図１６は、仮登録部１２０が仮登録テーブルに端末ＩＤを登録する処理を示すフローチャートである。仮登録部１２０は、宛先情報特定部１１６から宛先情報および読取装置ＩＤを取得する（Ｓ３００）。仮登録部１２０は、通信装置接続テーブルを参照して、宛先情報の画像を取得した読取装置の読取装置ＩＤに対応する通信装置ＩＤを特定する。さらに、仮登録部１２０は、通信端末接続テーブルを参照して、特定された通信装置ＩＤに対応付けられている端末ＩＤを抽出する（Ｓ３０２）。
【００５５】
仮登録部１２０は、抽出された端末ＩＤの中から本登録テーブルに登録されていない端末ＩＤを抽出する（Ｓ３０４）。つまり、仮登録部１２０は、対応する通信装置ＩＤの通信装置に接続されている通信端末の端末ＩＤのうち、すでに本登録テーブルに登録されている端末ＩＤを新たな登録候補から抹消する。次いで、仮登録部１２０は、通信端末接続テーブルの送信済みフラグフィールドを参照することで、抽出された端末ＩＤのうち要求メッセージがすでに送信された端末ＩＤを新たな登録候補の端末ＩＤとして、顔画像、属性情報および宛先情報に関連付けて、仮登録テーブルに登録する（Ｓ３０６）。
【００５６】
図１７は、本登録部１３０が端末ＩＤを本登録テーブルに登録する処理を示すフローチャートである。切断検知部１１２が、通信装置２０と通信端末３０との間の無線通信接続が切断されたことを検知すると（Ｓ４００）、切断検知部１１２は、仮登録テーブルに切断された通信端末の端末ＩＤが存在するか否かを判定する（Ｓ４０２）。仮登録テーブルに切断された通信端末の端末ＩＤが存在する場合、判断部１２４は、現在の顔画像テーブルに登録されている顔画像と、仮登録テーブルに登録されている顔画像とを照合する（Ｓ４０４）。つまり、判断部１２４は、仮登録情報保持部１２２に登録されているオブジェクト識別情報と、切断検知部１１２が無線通信接続の切断を検知したときにオブジェクト識別情報取得部１０２が取得した他のオブジェクト識別情報とが同一のオブジェクトを示すか否かを判断する。
【００５７】
同一の顔画像を示さない場合、本登録部１３０は、無線通信接続が切断された通信端末３０を所有し、仮登録テーブルに登録された顔画像に対応する遊技者が、顔画像を提供した読取装置１０の設置位置を含む通信エリアから離れたと判断する。そして、本登録部１３０は、切断された通信端末３０の端末ＩＤを、顔画像、属性情報、メールアドレス、および新たに付与する会員ＩＤに関連付けて、本登録テーブルに登録する（Ｓ４０８）。
【００５８】
同一の顔画像を示す場合、本登録部１３０は、仮登録テーブルに登録された顔画像に対応する遊技者は、まだ顔画像を提供した読取装置１０の設置位置を含む通信エリアに存在すると判断する。また、本登録部１３０は、無線通信接続が切断された通信端末３０を所有する遊技者は、仮登録テーブルに登録された顔画像に対応する遊技者とは異なると判断する。そして、本登録部１３０は、無線通信接続が切断された通信端末３０の端末ＩＤを本登録テーブルへの登録候補から抹消する（Ｓ４１０）。例えば、本登録部１３０は、仮登録テーブルから無線通信接続が切断された通信端末３０の端末ＩＤを削除する。
【００５９】
次いで、本登録部１３０は、仮登録テーブルに登録候補として登録されている端末ＩＤが１つか否かを判定する（Ｓ４１２）。判定の結果、端末ＩＤが１つでない場合には、本登録部１３０は、処理を終了する。一方、端末ＩＤが１つの場合には、仮登録テーブルに登録候補として登録されている端末ＩＤを、顔画像、属性情報、メールアドレス、および新たに付与する会員ＩＤに関連付けて、本登録テーブルに登録する（Ｓ４１４）。
【００６０】
以上のように、いずれか１つの通信端末３０と通信装置２０との間の無線通信接続が切断された場合に、仮登録テーブルに登録されている顔画像と、無線通信接続が切断されたときに取得された顔画像とを照合する。照合により、無線通信接続が切断された通信端末３０を所有する遊技者が、仮登録テーブルに顔画像が登録されている遊技者かどうかを判断する。これにより、通信装置２０に複数の通信端末３０が接続されている場合でも、仮登録テーブルに顔画像が登録されている遊技者の通信端末３０を特定できる。
【００６１】
図１８は、配信部１４０による配信処理を示すフローチャートである。配信部１４０は、取得した顔画像と一致する顔画像に対応付けて本登録テーブルに登録されている宛先情報および属性情報を取得する（Ｓ５００）。配信部１４０は、配信情報テーブルを参照して、属性情報と、顔画像とともに取得された読取装置ＩＤとに基づいて配信内容を特定する（Ｓ５０２）。例えば、配信部１４０は、通信装置接続テーブルを参照して、読取装置ＩＤに対応する遊技機４０の種類を特定する。そして、配信部１４０は、配信情報テーブルを参照して、属性情報および遊技機４０の種類に対応付けられている配信内容を特定する。配信部１４０は、特定された配信内容を示す配信情報を宛先情報が示す宛先にすでに配信済みか否かを判定する（Ｓ５０４）。ここで、管理情報保持部１１０は、宛先情報および会員ＩＤに対応付けて配信内容と配信内容を送付したか否かを示す情報とを有する配信情報テーブルを保持していてもよい。そして、配信部１４０は、配信情報テーブルを参照することで、すでに宛先情報が示す宛先に、特定された配信内容を示す配信情報を配信したか否かを判定してもよい。配信していない場合には、配信部１４０は、宛先情報が示す宛先に配信情報を配信する（Ｓ５０６）。
【００６２】
以上のように、配信部１４０は、読取装置ＩＤに基づいて特定される遊技者が存在するエリアに配置された遊技機４０の種類、および遊技者の年代および性別に応じた配信情報を、遊技者に配信できる。
【００６３】
本実施形態によれば、遊技者が遊技店に入店し、遊技機４０の前に座ったときに、遊技者の顔画像と、遊技者が所有する通信端末３０とを自動的に対応付けることができる。さらに、遊技者は、目の前のカメラに向けて、遊技者が所有する通信端末３０の画面に表示させたプロフィールを提示するだけで、会員登録できる。よって、遊技者が会員登録する作業の煩わしさを低減できる。そして、会員登録することで、遊技者が所有する通信端末３０に、遊技者に応じた配信情報の配信サービスを受けることができる。
【００６４】
なお、上記の実施形態において、読取装置１０は、撮像装置であり、撮像装置が遊技者の画像をオブジェクト識別情報として撮像する例について説明した。しかし、読取装置１０は、会員カードなどの媒体に記録または印字されることで媒体に予め示されている遊技者の会員ＩＤ、年齢、性別などのオブジェクト識別情報を読み取ってもよい。また、読取装置１０は、遊技機、または遊技機用計数機に設けられてもよい。
【００６５】
さらに、上記の実施形態において、登録装置１００が、属性特定部１０４および宛先情報特定部１１６を備える例について説明した。しかし、読取装置１０が、撮像された画像から顔画像を抽出し、抽出された顔画像を登録装置１００に提供してもよい。また、読取装置１０が、抽出された顔画像から属性情報を特定し、属性情報を登録装置１００に提供してもよい。さらに、読取装置１０が、撮像された画像から文字認識により宛先情報を特定し、宛先情報を登録装置１００に提供してもよい。
【００６６】
なお、本実施形態に係る登録装置１００が備える各部は、登録および配信に関する各種処理を行うプログラムをインストールし、このプログラムをコンピュータに実行させることで、構成してもよい。つまり、コンピュータに登録および配信に関する各種処理を行うプログラムを実行させることにより、登録装置１００が備える各部としてコンピュータを機能させることで、登録装置１００を構成してもよい。
【００６７】
コンピュータはＣＰＵ、ＲＯＭ、ＲＡＭ、ＥＥＰＲＯＭ（登録商標）等の各種メモリ、通信バス及びインタフェースを有し、予めファームウェアとしてＲＯＭに格納された処理プログラムをＣＰＵが読み出して順次実行することで、登録装置１００として機能する。
【００６８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７０】
１０  読取装置
２０  通信装置
３０  通信端末
４０  遊技機
５０  台間機
６０  表示部
１００  登録装置
１０２  オブジェクト識別情報取得部
１０４  属性特定部
１０８  端末識別子取得部
１１０  管理情報保持部
１１２  切断検知部
１１４  宛先画像取得部
１１６  宛先情報特定部
１２０  仮登録部
１２２  仮登録情報保持部
１２４  判断部
１２６  メッセージ送信部
１３０  本登録部
１３２  本登録情報保持部
１４０  配信部
１４２  配信情報保持部
【図１】
2014050579.tif 000003
【図２】
2014050579.tif 000004
【図３】
2014050579.tif 000005
【図４】
2014050579.tif 000006
【図５】
2014050579.tif 000007
【図６】
2014050579.tif 000008
【図７】
2014050579.tif 000009
【図８】
2014050579.tif 000010
【図９】
2014050579.tif 000011
【図１０】
2014050579.tif 000012
【図１１】
2014050579.tif 000013
【図１２】
2014050579.tif 000014
【図１３】
2014050579.tif 000015
【図１４】
2014050579.tif 000016
【図１５】
2014050579.tif 000017
【図１６】
2014050579.tif 000018
【図１７】
2014050579.tif 000019
【図１８】
2014050579.tif 000020